(57)【要約】【課題】高い放射効率かつ広帯域な反射特性が得られるアンテナ装置を実現する。【解決手段】この発明に係るアンテナ装置は、導波管と、この導波管の管壁の上に一方の面を接するように設けられたキャビティと、導波管の管壁とキャビティが接する一方の面を通して設けられた第１のスロットと、導波管の管壁に接するキャビティの一方の面に対向するキャビティの他方の面に第１のスロットに対向する位置に設けられた第２のスロットとを備えた。【選択図】          図１
2016149755.tif 000002
【特許請求の範囲】
【請求項１】
導波管と、
前記導波管の管壁に一方の面を接して設けられたキャビティと、
前記導波管の管壁と前記キャビティが接する前記一方の面を通して設けられた第１のスロットと、
前記キャビティの前記一方の面に対向する他方の面に前記第１のスロットに対向する位置に設けられた第２のスロットと
を備えたアンテナ装置。
【請求項２】
前記キャビティは、前記導波管の管壁の上に複数段重ねて構成され、
重ねられた前記キャビティそれぞれの前記導波管に近い側の面と遠い側の面に前記第１のスロットに相当する位置にスロットが対向して設けられた請求項１記載のアンテナ装置。
【請求項３】
導波管と、
前記導波管の管壁に設けられた第１のスロットと、
両面が導体膜で被膜され、前記第１のスロットの位置に対応させて前記両面の導体膜の一部がくり抜かれ、くり抜かれた部分の周囲に配列された複数のスルーホールを有し、前記導波管の管壁の上に配置された誘電体基板と
を備えたアンテナ装置。
【請求項４】
前記誘電体基板は、前記導波管の管壁の上に複数段重ねて構成され、
重ねられた前記誘電体基板それぞれの両面の導体膜がくり抜かれた部分を前記第１のスロットに相当する位置に対応させて設けた請求項３記載のアンテナ装置。
【請求項５】
前記重ねられた誘電体基板は、隣接する２つの誘電体基板間で接する面の導体膜を共用させた請求項４記載のアンテナ装置。
【請求項６】
請求項１から請求項５のいずれか１項に記載のアンテナ装置を１つの導波管の管軸方向に複数個設けて構成したアレーアンテナ装置。
【請求項７】
請求項６のアレーアンテナ装置を前記第１のスロットを設けた前記導波管の管壁を一方向に向けて複数個導波管の管軸方向に平行に並べて構成したアレーアンテナ装置。
【請求項８】
導波管と、
前記導波管の第１の管壁側に第１の面を設けた第１のキャビティと、
前記第１の管壁と前記第１の面を連通する第３のスロットと、
前記第１の管壁に対向する前記導波管の第２の管壁に前記第３のスロットに対向する位置に設けられた第４のスロットと
を備えたことを特徴とするアンテナ装置。
【請求項９】
前記導波管と前記第１のキャビティとの間に第２のキャビティを１つ以上備え、
前記第２のキャビティは、前記導波管に近接している第２の面と、前記第２の面と対向する第３の面に前記第３のスロットに相当する位置にスロットが対向して設けられたことを特徴とする請求項８に記載のアンテナ装置。
【請求項１０】
前記第１のキャビティは、両面が導体膜で被膜され、前記第３のスロットに相当する位置に対応させて前記第１の面の導体膜の一部がくり抜かれ、前記第３のスロットに相当する位置の周囲に複数のスルーホールが配列された誘電体基板であることを特徴とする請求項８または請求項９に記載のアンテナ装置。
【請求項１１】
前記第２のキャビティは、両面が導体膜で被膜され、前記第３のスロットに相当する位置の前記両面の導体膜の一部がくり抜かれ、前記第３のスロットに相当する位置の周囲に複数のスルーホールが配列された誘電体基板であることを特徴とする請求項９に記載のアンテナ装置。
【請求項１２】
前記第２のキャビティを、複数重ねて構成したことを特徴とする請求項９または請求項１１に記載のアンテナ装置。
【請求項１３】
請求項８から請求項１２のいずれか１項に記載のアンテナ装置を１つの導波管の管軸方向に複数個設けて構成したアレーアンテナ装置。
【請求項１４】
請求項１３のアレーアンテナ装置を前記第３のスロットを設けた前記導波管の第２の管壁を一方向に向けて複数個導波管の管軸方向に平行に並べて構成したアレーアンテナ装置。
【発明の詳細な説明】
【技術分野】
【０００１】
この発明は、導波管の管壁にスロットが設けられたアンテナ装置に関するものである。
【背景技術】
【０００２】
近年、ミリ波帯の電波を利用した高速無線通信技術の研究開発が進められている。高速な通信を実現するには高利得・高効率・広帯域な特性を同時に実現するアンテナが求められる。導波管スロットアレーアンテナは、高利得・高効率な特性を実現することができるが、帯域が狭く広帯域化が課題となっている。これには、各放射素子の帯域を広くすることが必要である。例えば、スロット上にホーンアンテナを設けてホーン放射によって広帯域化を図る技術（例えば特許文献１参照）、誘電体基板をスロット上に配置することによって広帯域化を図る技術（例えば特許文献２参照）が開示されている。また、例えば、スロット上に基板に構成した非励振パッチを複数構成し、多重共振の特性を得る技術（例えば非特許文献１参照）が開示されている。
【先行技術文献】
【特許文献】
【０００３】
【特許文献１】特許第３４２０４７４号公報
【特許文献２】特許第５３００５８３号公報
【非特許文献】
【０００４】
【非特許文献１】S. D. Targonski, R. B. Waterhouse, D. M. Pozar, ”Design of Wide-Band Aperture-Stacked Patch Microstrip Antennas,” IEEE, Trans. Antennas Propag., vol. AP 33, no. 2, 1998.
【発明の概要】
【発明が解決しようとする課題】
【０００５】
従来のアンテナ装置は、例えば特許文献１に開示される技術では、スロット上にホーンアンテナを設けることで広帯域な特性を得ることができるが、放射素子を密に配置できないという課題があった。
【０００６】
また、例えば特許文献２に開示される技術では、誘電体基板をスロット上に配置し、放射抵抗を下げることでインピーダンス整合を得て、結果として広帯域な特性を得られるが、単共振のため十分な広い帯域を取れないという課題があった。
【０００７】
また、例えば非特許文献１に開示される技術では、スロット上に基板に構成した非励振パッチを複数構成し、多重共振の特性を得ているが、誘電体損失および背面放射により放射効率が低いという課題があった。
【０００８】
この発明は、上記のような課題を解決するためになされたもので、中空構造のキャビティをスロット上に配置することで多重共振化させ、高効率かつ広帯域な特性を得ることを目的とする。
【課題を解決するための手段】
【０００９】
この発明に係るアンテナ装置は、導波管と、導波管の管壁に一方の面を接して設けられたキャビティと、導波管の管壁とキャビティが接する一方の面を通して設けられた第１のスロットと、キャビティの一方の面に対向する他方の面に第１のスロットに対向する位置に設けられた第２のスロットとを備えたものである。
【発明の効果】
【００１０】
この発明によれば、中空構造のキャビティをスロット上に配置することで多重共振化させ、高効率かつ広帯域な特性を得ることができる。
【図面の簡単な説明】
【００１１】
【図１】この発明の実施の形態１におけるアンテナ装置の構成の一例を示す正面図、側面図および上面図である。
【図２】この発明の実施の形態１におけるアンテナ装置の構成の一例を示す斜視図および展開図である。
【図３】この発明の実施の形態１のアンテナ装置における反射特性を示す説明図である。
【図４】この発明の実施の形態２におけるアンテナ装置の構成の一例を示す正面図、側面図および上面図である。
【図５】この発明の実施の形態２におけるアンテナ装置の構成の一例を示す斜視図および展開図である。
【図６】この発明の実施の形態３におけるアンテナ装置の構成の一例を示す斜視図および展開図である。
【図７】この発明の実施の形態４におけるアレーアンテナ装置の構成の一例を示す正面図、側面図および上面図である。
【図８】この発明の実施の形態５におけるアレーアンテナ装置の構成の一例を示す正面図、側面図および上面図である。
【図９】この発明の実施の形態５におけるアレーアンテナ装置の構成の一例を示す斜視展開図である。
【図１０】この発明の実施の形態６におけるアンテナ装置の構成の一例を示す正面図、側面図および上面図である。
【図１１】この発明の実施の形態６におけるアンテナ装置の構成の一例を示す斜視図および展開図である。
【図１２】この発明の実施の形態６のアンテナ装置における反射特性を示す説明図である。
【図１３】この発明の実施の形態７におけるアンテナ装置の構成の一例を示す斜視図および展開図である。
【図１４】この発明の実施の形態８におけるアンテナ装置の構成の一例を示す斜視図および展開図である。
【図１５】この発明の実施の形態９におけるアンテナ装置の構成の一例を示す正面図、側面図および上面図である。
【図１６】この発明の実施の形態１０におけるアンテナ装置の構成の一例を示す正面図、側面図および上面図である。
【図１７】この発明の実施の形態１０におけるアンテナ装置の構成の一例を示す斜視展開図である。
【図１８】この発明の実施の形態１１におけるアンテナ装置の構成の一例を示す斜視図、展開図である。
【発明を実施するための形態】
【００１２】
実施の形態１．
この実施の形態１では、キャビティを導波管の管壁上に１段設置したアンテナ装置について説明する。
【００１３】
図１は、この発明の実施の形態１におけるアンテナ装置の構成の一例を示す正面図、側面図および上面図である。また、図２は、この発明の実施の形態１におけるアンテナ装置の構成の一例を示す斜視図および展開図である。
【００１４】
図において、導波管１１は、金属からなる。導波管１１の管軸方向に対して垂直方向の断面形状は、例えば図示したように、矩形を有する。スロット３０は、導波管１１の管壁２１に設けられている。スロット３０の断面形状は、例えば図示したように、矩形を有する。キャビティ４１は、金属からなる。その形状は、例えば図示したように、導波管１１の管壁２１の上に直方体の空間を形成する。キャビティ４１の下面の壁は、導波管１１の管壁２１の一部として共有されている。キャビティ４１の上面の壁５１は、導波管１１の管壁２１に対向して設けられている。スロット３１は、キャビティ４１の上面の壁５１に、導波管１１の管壁２１に設けられたスロット３０に対向して、スロット３０と同一の断面形状で設けられている。
【００１５】
なお、キャビティ４１の下面の壁は、導波管１１の管壁２１の一部として共有されているものとしたが、個別に形成し接合されてもよい。このとき、スロット３０は、接合された導波管１１の管壁２１とキャビティ４１の下面の壁の両方に設けられ、導波管１１内部とキャビティ４１内部をつなぐものとなる。
【００１６】
次に、図１、図２に示したこの発明の実施の形態１に係るアンテナ装置の動作の基本原理について説明する。
【００１７】
まず、導波管１１に電波を入力すると、管壁２１に流れる電流はスロット３０により分断されるので、スロット３０には電界が励起され、キャビティ４１に電波が入力される。次に、キャビティ４１の壁に流れる電流はスロット３１により分断されるので、スロット３１には電界が励起され、図中の上方向の空間に電波が放射される。
【００１８】
このような構成からなるアンテナ装置において、キャビティ４１を設けることでキャビティ４１とスロット３１のそれぞれの共振により二重共振の特性が得られ、広帯域な特性を実現できる。
【００１９】
以下、この発明の実施の形態１に係るアンテナ装置の特性について説明する。
【００２０】
図３は、この発明の実施の形態１のアンテナ装置における反射特性を示す説明図である。図において、横軸（０．９２〜１．０８）は規格化周波数の値を示し、縦軸（−２０〜０ｄＢ）は給電導波管の入力電力に対する反射量を示している。なお、ここでは、比較のために、キャビティ４１およびスロット３１を有していない従来のアンテナ装置の反射の反射特性も併記している。この発明の実施の形態１のアンテナ装置における反射特性５は実線で、従来のアンテナ装置における反射特性６は破線で示している。
【００２１】
図３から明らかなように、この発明の実施の形態１における反射特性５は、二つの周波数で極小値をとる二重共振の特性で、従来のアンテナ装置における反射特性６よりも広帯域な特性を実現している。
【００２２】
以上のように、この発明の実施の形態１によれば、導波管１１と、キャビティ４１と、導波管１１の管壁２１に設けられたスロット３０と、キャビティ４１の壁５１にスロット３０と同一形状で対向して設けられたスロット３１を備えたので、二重共振の反射特性が得られ、広帯域な特性をもつアンテナ装置を実現することができる。
【００２３】
なお、この発明の実施の形態１では、スロット３０、３１の長手方向は、導波管１１の管軸方向に対して平行に設定された場合を示したが、スロット３０、３１の長手方向は導波管１１の管軸方向に対して垂直または斜めに設定されてもよい。
【００２４】
また、スロット３０、３１の形状は、矩形の場合の例について説明したが、同一形状であれば、他の断面形状でもよく、例えば十字形、Ｔ字形、Ｌ字形、Ｖ字形、Ｓ字形、Ｚ字形や、矩形以外の多角形、円形、楕円形等の形状であっても構わない。
【００２５】
実施の形態２．
実施の形態１では、キャビティを導波管の管壁上に１段設置したアンテナ装置について説明したが、２段以上重ねて設置してもよい。この実施の形態２では、キャビティを導波管の管壁上に２段設置したアンテナ装置について説明する。
【００２６】
図４は、この発明の実施の形態２におけるアンテナ装置の構成の一例を示す正面図、側面図および上面図である。また、図５は、この発明の実施の形態２におけるアンテナ装置の構成の一例を示す斜視図および展開図である。この発明の実施の形態１におけるアンテナ装置の構成（図１および図２）に対して、導波管１１の管壁２１上にキャビティを２段重ねて設置したものである。なお、図において、先に実施の形態１で説明したアンテナ装置の構成と同様のものについては、同一符号を付して詳述を省略する。
【００２７】
キャビティ４２は、キャビティ４１と同様に金属からなる。その形状は、キャビティ４１と同様に、例えば図示したように、キャビティ４１の上面の壁５１の上に直方体の空間を形成する。キャビティ４２の下面の壁は、キャビティ４１の上面の壁５１の一部として共有されている。キャビティ４２の上面の壁５２は、キャビティ４１の上面の壁５１に対向して設けられている。スロット３２は、キャビティ４２の上面の壁５２に、導波管１１の管壁２１に設けられたスロット３０およびキャビティ４１の上面の壁５１に設けられたスロット３１に対向して、スロット３０と同一の断面形状で設けられている。
【００２８】
なお、キャビティ４２の下面の壁は、キャビティ４１の上面の壁５１の一部として共有されているものとしたが、個別に形成し接合されてもよい。このとき、スロット３１は、接合されたキャビティ４１の上面の壁５１とキャビティ４２の下面の壁の両方に設けられ、キャビティ４１内部とキャビティ４２内部をつなぐものとなる。
【００２９】
この発明の実施の形態２のアンテナ装置における動作の基本原理は、実施の形態１のアンテナ装置の場合と同様に説明できる。したがって、２段重ねとしたキャビティ４１、４２にスロット３０、３１、３２を対向して設けたことによって、三重共振の反射特性が得られるので、より広帯域なアンテナ装置が得られる。
【００３０】
また、キャビティを重ねる段数は、図４および図５に示したように導波管１１の管壁２１上に２段重ねた構成に限らず、３段以上重ねた構成としてもよい。重ねた段数に応じた多重共振の特性が得られる。このように、導波管１１の管壁２１上に例えばキャビティ４１、４２、・・・４ｌ、・・・、４ＬとしてキャビティをＬ段（Ｌは自然数）重ねて、スロット３０、３１，３２、・・・、３ｌ、・・・、３Ｌ（１≦ｌ≦Ｌ）を対向して設けることで、（Ｌ＋１）重共振の反射特性が得られ、広帯域化の効果を奏することができる。
【００３１】
以上のように、この発明の実施の形態２によれば、導波管１１の管壁２１上に複数段（Ｌとする）のキャビティ４１〜４Ｌおよびスロット３０に対向するスロット３１〜３Ｌを設けたので、多重共振の反射特性が得られ、広帯域な特性をもつアンテナ装置を実現することができる。
【００３２】
実施の形態３．
実施の形態１および２では、導波管の管壁上にキャビティを金属で構成したアンテナ装置について説明したが、この実施の形態３では導波管の管壁上に誘電体基板を設けて構成したアンテナ装置について説明する。
【００３３】
図６は、この発明の実施の形態３におけるアンテナ装置の構成の一例を示す斜視図および展開図である。この発明の実施の形態１におけるアンテナ装置の構成（図１および図２）に対して、導波管１１の管壁２１上に誘電体基板６１を設置したものである。なお、図において、先に実施の形態１で説明したアンテナ装置の構成と同様のものについては、同一符号を付して詳述を省略する。
【００３４】
図において、誘電体基板６１は、導波管１１の管壁２１に接する一方の面およびその対向する他方の面を導体膜７０、７１で被膜され、かつ、その両面の導体膜７０、７１の対向する一部が導波管１１の管壁２１に設けられたスロット３０の位置に合わせてくり抜かれている。複数のスルーホール９１は、誘電体基板６１の両面の導体膜７０、７１を短絡するように、導体膜７０、７１のくり抜き部を取り囲むように設けられている。
【００３５】
誘電体基板６１の両面に設けられた導体膜７０、７１のくり抜き部は、実施の形態１のアンテナ装置のスロット３０およびスロット３１を構成し、同様に機能、動作する。また、導体膜７０、７１のくり抜き部を取り囲むように形成された複数のスルーホール９１は、波長に比べ短い間隔で配置することで、実施の形態１のアンテナ装置のキャビティ４１における金属の側壁と同様に機能、動作する。
【００３６】
したがって、図６に示したこの発明の実施の形態３のアンテナ装置における動作の基本原理は、実施の形態１の場合と同様に説明できるため、詳述を省略する。
【００３７】
以上のように、この発明の実施の形態３によれば、導波管１１の管壁２１上に、両面が導体膜７０、７１で被膜され、かつ、両面の導体膜７０、７１の対向する一部が導波管１１の管壁２１に設けられたスロット３０の位置に合わせてくり抜かれ、この導体膜７０、７１のくり抜き部を取り囲み、両面の導体膜７０、７１を短絡するように複数のスルーホール９１が形成された誘電体基板６１を設けたので、この発明の実施の形態１と同様に、二重共振の反射特性が得られ、広帯域な特性をもつアンテナ装置を実現することができる。
【００３８】
また、この発明の実施の形態３によれば、この発明の実施の形態２のアンテナ装置において導波管１１の管壁２１上に複数段のキャビティを重ねて設けたのと同様に、導波管１１の管壁２１上に、両面が導体膜で被膜され、かつ、両面の導体膜の対向する一部が導波管１１の管壁２１に設けられたスロット３０の位置に合わせてくり抜かれ、この導体膜のくり抜き部を取り囲み、両面の導体膜を短絡するように複数のスルーホールが形成された誘電体基板を複数段重ねて設けることで、この発明の実施の形態２と同様に、多重共振の反射特性が得られ、広帯域な特性をもつアンテナ装置を実現することができる。
【００３９】
なお、導波管１１の管壁２１上に、両面が導体膜で被膜された誘電体基板を複数段重ねて設ける場合は、隣接する２つの誘電体基板の間で接する面の導体膜を共用してもよい。
【００４０】
実施の形態４．
実施の形態１では、導波管１１の管壁２１上の単一のスロット３０の上方にキャビティを設置したアンテナ装置について説明したが、導波管１１の管壁２１上に直列に設置した複数（自然数Ｍとする）のスロット３０１〜３０Ｍに対して複数のキャビティ４１１〜４１Ｍおよびキャビティ４１１〜４１Ｍの上面の壁上にスロット３１１〜３１Ｍをスロット３０１〜３０Ｍに対向して設置したアレーアンテナ装置を構成してもよい。
【００４１】
図７は、この発明の実施の形態４におけるアレーアンテナ装置の構成の一例を示す正面図、側面図および上面図である。なお、図において、先に実施の形態１で説明したアンテナ装置の構成（図１および図２）と同様のものについては、同一符号を付して詳述を省略する。
【００４２】
この発明の実施の形態４におけるアレーアンテナ装置は、この発明の実施の形態１におけるアンテナ装置を基本構成として、Ｍ個つながった構成となっている。図７において、例えば、複数のスロット３０１、３０２、・・・、３０ｍ、・・・３０Ｍ（ｍは整数。１≦ｍ≦Ｍ）は、基本構成におけるスロット３０の１番目からＭ番目を意味する。キャビティ４１１〜４１Ｍ、スロット３１１〜３１Ｍについても、基本構成におけるキャビティ４１、スロット３１に対して同様である。
【００４３】
複数のスロット３０１〜３０Ｍは、導波管１１の管壁２１上に、管軸方向に対して左右交互に設置される。複数のキャビティ４１１〜４１Ｍは、複数のスロット３０１〜３０Ｍと１対１で対応し、導波管１１の管壁２１上に設置される。複数のスロット３１１〜３１Ｍは、複数のキャビティ４１１〜４１Ｍの上面の壁５１に、導波管１１の管壁２１に設けられた複数のスロット３０１〜３０Ｍに対向して、複数のスロット３０１〜３０Ｍと同一の断面形状で設けられている。
【００４４】
よって、図７に示したこの発明の実施の形態４のアレーアンテナ装置における動作の基本原理は、実施の形態１の場合と同様に説明できるため、詳述を省略する。
【００４５】
また、この発明の実施の形態２のように、複数のキャビティ４１１〜４１Ｍの上面の壁上に、さらに対となる複数のキャビティ４２１〜４２Ｍ、・・・、４Ｌ１〜４ＬＭを複数段重ねてアレーアンテナ装置を構成してもよい。
【００４６】
また、この発明の実施の形態３のように、導波管１１の管壁２１上に、両面が導体膜で被膜され、かつ、両面の導体膜の対向する一部が導波管１１の管壁２１に設けられたスロット３０の位置に合わせてくり抜かれ、この導体膜のくり抜き部を取り囲み、両面の導体膜を短絡するように複数のスルーホールが形成された誘電体基板を設けたキャビティを形成してアレーアンテナ装置を構成してもよい。
【００４７】
なお、導波管の管軸方向に並ぶスロット３０１およびスロット３０２の間隔は、例えば導波管１１の管内波長の１／２の値に設定されている。
【００４８】
また、複数のキャビティ４１１〜４１Ｍの下面の壁は、導波管１１の管壁２１の一部として共有されていてもよいし、個別に形成し接合されてもよい。接合して構成される場合は、複数のスロット３０１〜３０Ｍは、導波管１１の管壁２１と複数のキャビティ４１１〜４１Ｍの下面の壁の両方に設けられ、導波管１１内部と複数のキャビティ４１１〜４１Ｍ内部の対応先となるいずれかをつなぐものとなる。
【００４９】
以上のように、この発明の実施の形態４によれば、導波管１１の管壁２１上に設置した複数（整数Ｍとする）のスロット３０１〜３０Ｍに対して複数のキャビティ４１１〜４１Ｍおよびキャビティ４１１〜４１Ｍの上面の壁上にスロット３１１〜３１Ｍをスロット３０１〜３０Ｍに対向して設置したので、複数のキャビティ４１１〜４１Ｍのそれぞれについて、この発明の実施の形態１と同様に、二重共振の反射特性が得られ、広帯域な特性をもつアレーアンテナ装置を実現することができる。
【００５０】
また、この発明の実施の形態４によれば、この発明の実施の形態２のアンテナ装置と同様に導波管１１の管壁２１上に複数段のキャビティを重ねて設けることで、重なったキャビティごとに多重共振の反射特性が得られ、広帯域な特性をもつアレーアンテナ装置を実現することができる。
【００５１】
また、この発明の実施の形態４によれば、この発明の実施の形態３のアンテナ装置と同様に、導波管１１の管壁２１上に、両面が導体膜で被膜され、かつ、両面の導体膜の対向する一部が導波管１１の管壁２１に設けられたスロット３０の位置に合わせてくり抜かれ、この導体膜のくり抜き部を取り囲み、両面の導体膜を短絡するように複数のスルーホールが形成された誘電体基板を設けたキャビティを採用しても、キャビティを重ねた段数に応じて多重共振の反射特性が得られ、広帯域な特性をもつアレーアンテナ装置を実現することができる。
【００５２】
実施の形態５．
実施の形態４では、導波管１１の管壁２１上に直列に設置した複数（整数Ｍとする）のスロット３０１〜３０Ｍに対して複数のキャビティ４１１〜４１Ｍおよびキャビティ４１１〜４１Ｍの上面の壁上にスロット３１１〜３１Ｍをスロット３０１〜３０Ｍに対向して設置したアレーアンテナ装置について説明したが、さらにこのようなアレーアンテナ装置を複数並列して設置したアレーアンテナ装置について説明する。
【００５３】
図８は、この発明の実施の形態５におけるアレーアンテナ装置の構成の一例を示す正面図、側面図および上面図である。なお、図において、先に実施の形態４で説明したアンテナ装置の構成（図７）と同様のものについては、同一符号を付して詳述を省略する。また、図９は、この発明の実施の形態５における図８のアレーアンテナ装置の構成の一例を示す斜視展開図である。
【００５４】
この発明の実施の形態５におけるアレーアンテナ装置は、この発明の実施の形態４におけるアンテナ装置を基本構成として、複数（自然数Ｎとする）並列した構成となっている。図８において、例えば、複数のスロット３０１ｎ、３０２ｎ、・・・、３０ｍｎ、・・・３０Ｍｎ（ｎは整数。１≦ｎ≦Ｎ）は、基本構成におけるスロット３０１〜３０Ｍの第ｎ列の１番目からＭ番目を意味する。キャビティ４１１ｎ〜４１Ｍｎ、スロット３１１ｎ〜３１Ｍｎについても、基本構成におけるキャビティ４１１〜４１Ｍ、スロット３１１〜３１Ｍに対して同様である。また、導波管１１、１２、・・・、１ｎ、・・・、１Ｎ、管壁２１、２２、・・・、２ｎ、・・・、２Ｎは、第ｎ列の導波管および管壁を意味する。キャビティの上面の壁５１１、５１２、・・・、５１ｎ、・・・、５１Ｎは、第ｎ列の壁５１を意味する。
【００５５】
よって、図８に示したこの発明の実施の形態５のアレーアンテナ装置における動作の基本原理は、実施の形態４の場合と同様に説明できるため、詳述を省略する。
【００５６】
この発明の実施の形態５のアレーアンテナ装置は、この発明の実施の形態２のように、複数のキャビティ４１１１〜４１ＭＮの上面の壁上に、さらに対となる複数のキャビティ４２１１〜４２ＭＮ、・・・、４Ｌ１１〜４ＬＭＮを複数段重ねてアレーアンテナ装置を構成してもよい。
【００５７】
また、この発明の実施の形態３のように、導波管１１〜１Ｎの管壁２１〜２Ｎ上に、両面が導体膜で被膜され、かつ、両面の導体膜の対向する一部が導波管１１の管壁２１に設けられたスロット３０１１〜３０ＭＮの位置に合わせてくり抜かれ、各導体膜のくり抜き部を取り囲み、両面の導体膜を短絡するように複数のスルーホールが形成された誘電体基板を設けたキャビティを形成してアレーアンテナ装置を構成してもよい。
【００５８】
以上のように、この発明の実施の形態５によれば、導波管１１の管壁２１上に二次元に設置した複数のスロット３０１１〜３０ＭＮに対して複数のキャビティ４１１１〜４１ＭＮおよびこのキャビティ４１１１〜４１ＭＮの上面の壁上にスロット３１１１〜３１ＭＮをスロット３０１１〜３０ＭＮに対向して設置したので、複数のキャビティ４１１１〜４１ＭＮのそれぞれについて、この発明の実施の形態１と同様に、二重共振の反射特性が得られ、広帯域な特性をもつアンテナ装置を実現することができる。
【００５９】
また、この発明の実施の形態５によれば、この発明の実施の形態２のアンテナ装置と同様に導波管１１の管壁２１上に複数段のキャビティを重ねて設けることで、重なったキャビティごとに多重共振の反射特性が得られ、広帯域な特性をもつアンテナ装置を実現することができる。
【００６０】
また、この発明の実施の形態５によれば、この発明の実施の形態３のアンテナ装置と同様に、導波管１１の管壁２１上に、両面が導体膜で被膜され、かつ、両面の導体膜の対向する一部が導波管１１の管壁２１に設けられたスロット３０の位置に合わせてくり抜かれ、この導体膜のくり抜き部を取り囲み、両面の導体膜を短絡するように複数のスルーホールが形成された誘電体基板を設けたキャビティを採用しても、キャビティを重ねた段数に応じて多重共振の反射特性が得られ、広帯域な特性をもつアンテナ装置を実現することができる。
【００６１】
このように、この発明によれば、中空構造のキャビティをスロット上に配置した構成をとることで、密にアレー配置することができる。
【００６２】
また、この発明のアンテナ装置によれば、中空構造のキャビティをスロット上に配置することで多重共振化させ、高効率かつ広帯域な特性を得ることができる。
【００６３】
実施の形態６．
この実施の形態６では、キャビティを導波管の管壁下に１段設置したアンテナ装置について説明する。
図１０は、この発明の実施の形態６におけるアンテナ装置の構成の一例を示す正面図、側面図および上面図である。また、図１１は、この発明の実施の形態６におけるアンテナ装置の構成の一例を示す斜視図および展開図である。
【００６４】
図において、導波管１１は、金属からなる。導波管１１の管軸方向に対して垂直方向の断面形状は、例えば図示したように、矩形を有する。スロット３０は、導波管１１の管壁２１に設けられている。スロット３０の断面形状は、例えば図示したように、矩形を有する。キャビティ４１は、金属からなる。その形状は、例えば図示したように、導波管１１の管壁２２の下に直方体の空間を形成する。キャビティ４１の上面の壁は、導波管１１の管壁２２の一部として共有されている。キャビティ４１の上面の壁５１は、導波管１１の管壁２１に対向して設けられている。スロット３１は、キャビティ４１の上面の壁５１に、導波管１１の管壁２１に設けられたスロット３０に対向して、スロット３０と同一の断面形状で設けられている。
【００６５】
なお、キャビティ４１の上面の壁は、導波管１１の管壁２２の一部として共有されているものとしたが、個別に形成し接合されてもよい。このとき、スロット３１は、接合された導波管１１の管壁２２とキャビティ４１の上面の壁の両方に設けられ、導波管１１内部とキャビティ４１内部をつなぐものとなる。
【００６６】
次に、図１０、図１１に示したこの発明の実施の形態６に係るアンテナ装置の動作の基本原理について説明する。
まず、導波管１１に電波を入力すると、管壁２２に流れる電流はスロット３１により分断されるので、スロット３１には電界が励起され、キャビティ４１に電波が入力される。また、導波管１１の壁２１に流れる電流はスロット３０により分断されるので、スロット３０には電界が励起され、図中の上方向の空間に電波が放射される。
【００６７】
以下、この発明の実施の形態６に係るアンテナ装置の特性について説明する。
図１１は、この発明の実施の形態１のアンテナ装置における反射特性を示す説明図である。図において、横軸（０．９２〜１．０８）は規格化周波数の値を示し、縦軸（−２０〜０ｄＢ）は給電導波管の入力電力に対する反射量を示している。なお、ここでは、比較のために、キャビティ４１およびスロット３１を有していない従来のアンテナ装置の反射の反射特性も併記している。この発明の実施の形態６のアンテナ装置における反射特性５は実線で、従来のアンテナ装置における反射特性６は破線で示している。
【００６８】
図１２から明らかなように、この発明の実施の形態１における反射特性５は、二つの周波数で極小値をとる二重共振の特性で、従来のアンテナ装置における反射特性６よりも広帯域な特性を実現している。
以上のように、この発明の実施の形態６によれば、導波管１１と、キャビティ４１と、導波管１１の管壁２１に設けられたスロット３０と、キャビティ４１の壁５１にスロット３０と同一形状で対向して設けられたスロット３１を備えたので、二重共振の反射特性が得られ、広帯域な特性をもつアンテナ装置を実現することができる。
【００６９】
なお、この発明の実施の形態１では、スロット３０、３１の長手方向は、導波管１１の管軸方向に対して平行に設定された場合を示したが、スロット３０、３１の長手方向は導波管１１の管軸方向に対して垂直または斜めに設定されてもよい。
また、スロット３０、３１の形状は、矩形の場合の例について説明したが、同一形状であれば、他の断面形状でもよく、例えば十字形、Ｔ字形、Ｌ字形、Ｖ字形、Ｓ字形、Ｚ字形や、矩形以外の多角形、円形、楕円形等の形状であっても構わない。
【００７０】
実施の形態７．
実施の形態６では、キャビティを導波管の管壁下に１段設置したアンテナ装置について説明したが、２段以上重ねて設置してもよい。この実施の形態７では、キャビティを導波管の管壁下に２段設置したアンテナ装置について説明する。
【００７１】
図１３は、この発明の実施の形態７におけるアンテナ装置の構成の一例を示す斜視図および展開図である。この発明の実施の形態６におけるアンテナ装置の構成（図１０および図１１）に対して、導波管１１の管壁２２下にキャビティを２段重ねて設置したものである。なお、図において、先に実施の形態１で説明したアンテナ装置の構成と同様のものについては、同一符号を付して詳述を省略する。
【００７２】
キャビティ４２（第１のキャビティ）は、キャビティ４１と同様に金属からなる。その形状は、キャビティ４１と同様に、例えば図示したように、キャビティ４１の上面の壁５１の上に直方体の空間を形成する。キャビティ４２の上面の壁は、キャビティ４１の下面の壁５２の一部として共有されている。スロット３２は、キャビティ４２の上面の壁５２に、導波管１１の管壁２２に設けられたスロット３０およびキャビティ４１の上面の壁５１に設けられたスロット３１に対向して、スロット３０と同一の断面形状で設けられている。
【００７３】
なお、キャビティ４２の上面の壁は、キャビティ４１の上面の壁５１の一部として共有されているものとしたが、個別に形成し接合されてもよい。このとき、スロット３２は、接合されたキャビティ４１の下面の壁５２とキャビティ４２の上面の壁の両方に設けられ、キャビティ４１内部とキャビティ４２内部をつなぐものとなる。
【００７４】
この発明の実施の形態７のアンテナ装置における動作の基本原理は、実施の形態１のアンテナ装置の場合と同様に説明できる。したがって、２段重ねとしたキャビティ４１、４２にスロット３０、３１、３２を対向して設けたことによって、三重共振の反射特性が得られるので、より広帯域なアンテナ装置が得られる。
また、キャビティを重ねる段数は、図７に示したように導波管１１の管壁２１上に２段重ねた構成に限らず、３段以上重ねた構成としてもよい。重ねた段数に応じた多重共振の特性が得られる。このように、導波管１１の管壁２１上に例えばキャビティ４１、４２、・・・４ｌ、・・・、４ＬとしてキャビティをＬ段（Ｌは自然数）重ねて、スロット３０、３１，３２、・・・、３ｌ、・・・、３Ｌ（１≦ｌ≦Ｌ）を対向して設けることで、（Ｌ＋１）重共振の反射特性が得られ、広帯域化の効果を奏することができる。
【００７５】
以上のように、この発明の実施の形態２によれば、導波管１１の管壁２２下に複数段（Ｌとする）のキャビティ４１〜４Ｌおよびスロット３０に対向するスロット３１〜３Ｌを設けたので、多重共振の反射特性が得られ、広帯域な特性をもつアンテナ装置を実現することができる。
【００７６】
実施の形態８．
実施の形態６および７では、導波管の管壁上にキャビティを金属で構成したアンテナ装置について説明したが、この実施の形態８では導波管の管壁上に誘電体基板を設けて構成したアンテナ装置について説明する。
【００７７】
図１４は、この発明の実施の形態８におけるアンテナ装置の構成の一例を示す斜視図および展開図である。この発明の実施の形態６におけるアンテナ装置の構成（図１０および図１１）に対して、導波管１１の管壁２２下に誘電体基板６１を設置したものである。なお、図において、先に実施の形態１および実施の形態３で説明したアンテナ装置の構成と同様のものについては、同一符号を付して詳述を省略する。
したがって、図１４に示したこの発明の実施の形態１のアンテナ装置における動作の基本原理は、実施の形態１の場合と同様に説明できるため、詳述を省略する。
【００７８】
以上のように、この発明の実施の形態８によれば、導波管１１の管壁２２下に、両面が導体膜７０、７１で被膜され、かつ、導体膜７１の対向する一部が導波管１１の管壁２２に設けられたスロット３１の位置に合わせてくり抜かれ、この導体膜７０、７１のくり抜き部を取り囲み、両面の導体膜７０、７１を短絡するように複数のスルーホール９１が形成された誘電体基板６１を設けたので、この発明の実施の形態１０と同様に、二重共振の反射特性が得られ、広帯域な特性をもつアンテナ装置を実現することができる。
【００７９】
また、この発明の実施の形態８によれば、この発明の実施の形態７のアンテナ装置において導波管１１の管壁２２下に複数段のキャビティを重ねて設けたのと同様に、導波管１１の管壁２２下に、両面が導体膜で被膜され、かつ、導体膜の一部が導波管１１の管壁２２に設けられたスロット３０の位置に合わせてくり抜かれ、この導体膜のくり抜き部を取り囲み、両面の導体膜を短絡するように複数のスルーホールが形成された誘電体基板を複数段重ねて設けることで、この発明の実施の形態７と同様に、多重共振の反射特性が得られ、広帯域な特性をもつアンテナ装置を実現することができる。
【００８０】
なお、導波管１１の管壁２２下に、両面が導体膜で被膜された誘電体基板を複数段重ねて設ける場合は、隣接する２つの誘電体基板の間で接する面の導体膜を共用してもよい。
【００８１】
実施の形態９．
実施の形態６では、導波管１１の管壁２２上の単一のスロット３１の下方にキャビティを設置したアンテナ装置について説明したが、導波管１１の管壁２２下に直列に設置した複数（自然数Ｍとする）のスロット３１１〜３１Ｍに対して複数のキャビティ４１１〜４１Ｍおよび導波管１１の管壁２１上にスロット３０１〜３０Ｍをスロット３１１〜３１Ｍに対向して設置したアレーアンテナ装置を構成してもよい。
【００８２】
図１５は、この発明の実施の形態９におけるアレーアンテナ装置の構成の一例を示す正面図、側面図および上面図である。なお、図において、先に実施の形態６で説明したアンテナ装置の構成（図１０および図１１）と同様のものについては、同一符号を付して詳述を省略する。
【００８３】
この発明の実施の形態９におけるアレーアンテナ装置は、この発明の実施の形態６におけるアンテナ装置を基本構成として、Ｍ個つながった構成となっている。図１５において、例えば、複数のスロット３０１、３０２、・・・、３０ｍ、・・・３０Ｍ（ｍは整数。１≦ｍ≦Ｍ）は、基本構成におけるスロット３０の１番目からＭ番目を意味する。キャビティ４１１〜４１Ｍ、スロット３１１〜３１Ｍについても、基本構成におけるキャビティ４１、スロット３１に対して同様である。
【００８４】
複数のスロット３０１〜３０Ｍは、導波管１１の管壁２１上に、管軸方向に対して左右交互に設置される。複数のスロット３１１〜３１Ｍは、導波管１１の管壁５１に、導波管１１の管壁２１に設けられた複数のスロット３０１〜３０Ｍに対向して、複数のスロット３０１〜３０Ｍと同一の断面形状で設けられている。複数のキャビティ４１１〜４１Ｍは、複数のスロット３１１〜３１Ｍと１対１で対応し、導波管１１の管壁２２下に設置される。
【００８５】
よって、図１５に示したこの発明の実施の形態９のアレーアンテナ装置における動作の基本原理は、実施の形態６の場合と同様に説明できるため、詳述を省略する。
また、この発明の実施の形態７のように、複数のキャビティ４１１〜４１Ｍの下面の壁上に、さらに対となる複数のキャビティ４２１〜４２Ｍ、・・・、４Ｌ１〜４ＬＭを複数段重ねてアレーアンテナ装置を構成してもよい。
【００８６】
また、この発明の実施の形態８のように、導波管１１の管壁２２下に、両面が導体膜で被膜され、かつ、両面の導体膜の対向する一部が導波管１１の管壁２２に設けられたスロット３１の位置に合わせてくり抜かれ、この導体膜のくり抜き部を取り囲み、両面の導体膜を短絡するように複数のスルーホールが形成された誘電体基板を設けたキャビティを形成してアレーアンテナ装置を構成してもよい。
【００８７】
なお、導波管の管軸方向に並ぶスロット３０１およびスロット３０２の間隔は、例えば導波管１１の管内波長の１／２の値に設定されている。
また、複数のキャビティ４１１〜４１Ｍの下面の壁は、導波管１１の管壁２２の一部として共有されていてもよいし、個別に形成し接合されてもよい。接合して構成される場合は、複数のスロット３０１〜３０Ｍは、導波管１１の管壁２２と複数のキャビティ４１１〜４１Ｍの下面の壁の両方に設けられ、導波管１１内部と複数のキャビティ４１１〜４１Ｍ内部の対応先となるいずれかをつなぐものとなる。
【００８８】
以上のように、この発明の実施の形態９によれば、導波管１１の管壁２２下に設置した複数（整数Ｍとする）のスロット３１１〜３１Ｍに対して複数のキャビティ４１１〜４１Ｍおよび導波管１１の壁上にスロット３１１〜３１Ｍをスロット３０１〜３０Ｍに対向して設置したので、複数のキャビティ４１１〜４１Ｍのそれぞれについて、この発明の実施の形態１と同様に、二重共振の反射特性が得られ、広帯域な特性をもつアレーアンテナ装置を実現することができる。
【００８９】
また、この発明の実施の形態９によれば、この発明の実施の形態７のアンテナ装置と同様に導波管１１の管壁２２下に複数段のキャビティを重ねて設けることで、重なったキャビティごとに多重共振の反射特性が得られ、広帯域な特性をもつアレーアンテナ装置を実現することができる。
【００９０】
また、この発明の実施の形態９によれば、この発明の実施の形態８のアンテナ装置と同様に、導波管１１の管壁２２下に、両面が導体膜で被膜され、かつ、両面の導体膜の対向する一部が導波管１１の管壁２２に設けられたスロット３０の位置に合わせてくり抜かれ、この導体膜のくり抜き部を取り囲み、両面の導体膜を短絡するように複数のスルーホールが形成された誘電体基板を設けたキャビティを採用しても、キャビティを重ねた段数に応じて多重共振の反射特性が得られ、広帯域な特性をもつアレーアンテナ装置を実現することができる。
【００９１】
実施の形態１０．
実施の形態９では、導波管１１の管壁２２下に直列に設置した複数（整数Ｍとする）のスロット３１１〜３１Ｍに対して複数のキャビティ４１１〜４１Ｍおよび導波管１１の上面の壁上にスロット３０１〜３０Ｍをスロット３１１〜３１Ｍに対向して設置したアレーアンテナ装置について説明したが、さらにこのようなアレーアンテナ装置を複数並列して設置したアレーアンテナ装置について説明する。
【００９２】
図１６は、この発明の実施の形態１０におけるアレーアンテナ装置の構成の一例を示す正面図、側面図および上面図である。なお、図において、先に実施の形態９で説明したアンテナ装置の構成（図１５）と同様のものについては、同一符号を付して詳述を省略する。また、図１７は、この発明の実施の形態１０における図１６のアレーアンテナ装置の構成の一例を示す斜視展開図である。
【００９３】
この発明の実施の形態１０におけるアレーアンテナ装置は、この発明の実施の形態９におけるアンテナ装置を基本構成として、複数（自然数Ｎとする）並列した構成となっている。図１６において、例えば、複数のスロット３０１ｎ、３０２ｎ、・・・、３０ｍｎ、・・・３０Ｍｎ（ｎは整数。１≦ｎ≦Ｎ）は、基本構成におけるスロット３０１〜３０Ｍの第ｎ列の１番目からＭ番目を意味する。キャビティ４１１ｎ〜４１Ｍｎ、スロット３１１ｎ〜３１Ｍｎについても、基本構成におけるキャビティ４１１〜４１Ｍ、スロット３１１〜３１Ｍに対して同様である。また、導波管１１、１２、・・・、１ｎ、・・・、１Ｎ、管壁２１、２２、・・・、２ｎ、・・・、２Ｎは、第ｎ列の導波管および管壁を意味する。キャビティの上面の壁５１１、５１２、・・・、５１ｎ、・・・、５１Ｎは、第ｎ列の壁５１を意味する。
【００９４】
よって、図１６に示したこの発明の実施の形態１０のアレーアンテナ装置における動作の基本原理は、実施の形態９の場合と同様に説明できるため、詳述を省略する。
この発明の実施の形態１０のアレーアンテナ装置は、この発明の実施の形態７のように、複数のキャビティ４１１１〜４１ＭＮの下面の壁上に、さらに対となる複数のキャビティ４２１１〜４２ＭＮ、・・・、４Ｌ１１〜４ＬＭＮを複数段重ねてアレーアンテナ装置を構成してもよい。
【００９５】
また、この発明の実施の形態８のように、導波管１１〜１Ｎの管壁２１〜２Ｎ下に、両面が導体膜で被膜され、かつ、両面の導体膜の対向する一部が導波管１１の管壁２１に設けられたスロット３０１１〜３０ＭＮの位置に合わせてくり抜かれ、各導体膜のくり抜き部を取り囲み、両面の導体膜を短絡するように複数のスルーホールが形成された誘電体基板を設けたキャビティを形成してアレーアンテナ装置を構成してもよい。
【００９６】
以上のように、この発明の実施の形態１０によれば、導波管１１の管壁２１上に二次元に設置した複数のスロット３０１１〜３０ＭＮに対して複数のキャビティ４１１１〜４１ＭＮおよびこのキャビティ４１１１〜４１ＭＮの上面の壁上にスロット３１１１〜３１ＭＮをスロット３０１１〜３０ＭＮに対向して設置したので、複数のキャビティ４１１１〜４１ＭＮのそれぞれについて、この発明の実施の形態６と同様に、二重共振の反射特性が得られ、広帯域な特性をもつアンテナ装置を実現することができる。
【００９７】
また、この発明の実施の形態１０によれば、この発明の実施の形態７のアンテナ装置と同様に導波管１１の管壁２２下に複数段のキャビティを重ねて設けることで、重なったキャビティごとに多重共振の反射特性が得られ、広帯域な特性をもつアンテナ装置を実現することができる。
【００９８】
また、この発明の実施の形態１０によれば、この発明の実施の形態８のアンテナ装置と同様に、導波管１１の管壁２２下に、両面が導体膜で被膜され、かつ、両面の導体膜の対向する一部が導波管１１の管壁２１に設けられたスロット３０の位置に合わせてくり抜かれ、この導体膜のくり抜き部を取り囲み、両面の導体膜を短絡するように複数のスルーホールが形成された誘電体基板を設けたキャビティを採用しても、キャビティを重ねた段数に応じて多重共振の反射特性が得られ、広帯域な特性をもつアンテナ装置を実現することができる。
【００９９】
このように、この発明によれば、中空構造のキャビティをスロット上に配置した構成をとることで、密にアレー配置することができる。
また、この発明のアンテナ装置によれば、中空構造のキャビティをスロット上に配置することで多重共振化させ、高効率かつ広帯域な特性を得ることができる。
【０１００】
実施の形態１１．
実施の形態１では、キャビティを導波管の管壁上に１段設置したアンテナ装置について、また、実施の形態６では、キャビティを導波管の管壁下に１段配置したアンテナ装置について説明したが、これらを組み合わせてもよい。この実施の形態１１では、導波管の対向する管壁それぞれにキャビティを１段ずつ設置したアンテナ装置について説明する。
【０１０１】
図１８はこの発明の実施の形態１１におけるアンテナ装置の構成の一例を示す斜視図および展開図である。
図において、先に実施の形態１および実施の形態６で説明したアンテナ装置の構成と同様のものについては、同一符号を付して詳述を省略する。
【０１０２】
この発明の実施の形態１１のアンテナ装置における動作の基本原理は、実施の形態１と実施の形態６のアンテナ装置の場合と同様に説明できる。したがって、キャビティ４１、４２にスロット３０、３１、３２を対向して設けたことによって、三重共振の反射特性が得られるので、より広帯域なアンテナ装置が得られる。
【０１０３】
また、導波管１１の上に構成するキャビティ４１および導波管１１の下に構成するキャビティ４２の数は複数であってもよい。キャビティをＬ個（Ｌは自然数）配置した場合、（Ｌ＋１）重共振の反射特性が得られ、広帯域化の効果を奏することができる。
また、実施の形態３および実施の形態８で説明したように、キャビティは誘電体基盤で構成されてもよい。誘電体基盤に複数のスルーホールを設けることで実施の形態１１と同様に動作する。従って多重共振の反射特性が得られ、広帯域化の効果を奏することができる。
【０１０４】
また、図１８に示すアンテナ装置を管軸方向に直列に複数個配置し、アレーアンテナ装置を構成してもよい。さらにキャビティを複数段配置したり、キャビティを基盤で構成したりしても、多重共振の反射特性が得られ、広帯域化の効果を奏することができる。
また、図１８に示すアンテナ装置を管軸方向に直列に配置したアレーアンテナ装置を複数個配置し、２次元状のアレーアンテナ装置としてもよい。さらにキャビティを複数段配置したり、キャビティを基盤で構成したりしても、多重共振の反射特性が得られ、広帯域化の効果を奏することができる。
【符号の説明】
【０１０５】
１１  導波管、２１  管壁、３０〜３２  スロット、４１〜４２  キャビティ、５１、５２  壁、６１  誘電体基板、７０、７１  導体膜、８０、８１  くり抜き部、９１  スルーホール。
【図１】
2016149755.tif 000003
【図２】
2016149755.tif 000004
【図３】
2016149755.tif 000005
【図４】
2016149755.tif 000006
【図５】
2016149755.tif 000007
【図６】
2016149755.tif 000008
【図７】
2016149755.tif 000009
【図８】
2016149755.tif 000010
【図９】
2016149755.tif 000011
【図１０】
2016149755.tif 000012
【図１１】
2016149755.tif 000013
【図１２】
2016149755.tif 000014
【図１３】
2016149755.tif 000015
【図１４】
2016149755.tif 000016
【図１５】
2016149755.tif 000017
【図１６】
2016149755.tif 000018
【図１７】
2016149755.tif 000019
【図１８】
2016149755.tif 000020